(57)【要約】【課題】各光源部において集光角の大きい反射鏡を用いた場合でも、各光源部からロッドインテグレータへ入射される光束の入射角度や集光位置および集光角等を適正に設定し得る、コンパクトな構成でかつ照明照度を高め得る照明光学系を得る。【解決手段】２つの光源部２Ａ，２Ｂとロッドインテグレータ４との間に、２つのプリズム３０Ａ，３０Ｂからなる集光状態変更手段３Ａを設ける。光源部２Ａ，２Ｂからプリズム３０Ａ，３０Ｂに入射した光束は、その集光位置がロッドインテグレータ４の入射面４ａの近傍に位置するように、かつ集光角が入射前に比べて小とされた状態でロッドインテグレータ４の入射面４ａに入射するようになっている。【選択図】図１
2008046479.tif 000002
【特許請求の範囲】
【請求項１】
光源からの光束を集光しつつ出力する複数の光源部と、該複数の光源部からの光束の光量均一化を図るロッドインテグレータとを有してなる照明光学系であって、
前記複数の光源部と前記ロッドインテグレータとの間に、該複数の光源部それぞれから入射された光束を変向し、かつ該光束の集光位置を該光束の進行方向前方へ移動せしめる集光状態変更手段が配されていることを特徴とする照明光学系。
【請求項２】
前記集光状態変更手段は、前記光源部からの光束を透過させるプリズムからなり、該プリズムは、前記光源部からの光束が入射する入射面と、入射した該光束を該プリズム内において反射して該光束を変向する少なくとも１つの反射面と、該光束を出射する出射面とを備えてなることを特徴とする請求項１記載の照明光学系。
【請求項３】
前記光源部は、前記光源の発光中心近傍に一方の焦点が位置する楕円面鏡を有してなることを特徴とする請求項１または２記載の照明光学系。
【請求項４】
前記楕円面鏡からの光束の集光位置が、前記プリズムの光屈折、反射作用により、前記ロッドインテグレータの入射面近傍に位置するように構成されていることを特徴とする請求項３記載の照明光学系。
【請求項５】
前記光源部は、前記光源の発光中心近傍に焦点が位置する放物面鏡と、該放物面鏡からの光を集光するコンデンサレンズとを有してなることを特徴とする請求項１または２記載の照明光学系。
【請求項６】
前記コンデンサレンズからの光束の集光位置が、前記プリズムの光屈折、反射作用により、前記ロッドインテグレータの入射面近傍に位置するように構成されていることを特徴とする請求項５記載の照明光学系。
【請求項７】
前記光源部の光軸上を進行する光線が、前記集光状態変更手段を介して、前記ロッドインテグレータの光軸と略平行な状態で、該ロッドインテグレータに入射するように構成されていることを特徴とする請求項１〜６のうちいずれか１項記載の照明光学系。
【請求項８】
前記複数の光源部のうち少なくとも２つの光源部は、各々の光軸が互いに略平行にまたは同一直線上に位置するように構成されていることを特徴とする請求項１〜７のうちいずれか１項記載の照明光学系。
【請求項９】
請求項１〜８のうちいずれか１項記載の照明光学系と、該照明光学系の前記ロッドインテグレータからの光束を所定の映像情報に応じて変調するライトバルブと、該ライトバルブにより変調された光による光学像をスクリーン上に投写する投写レンズとを備えてなることを特徴とする投写型画像表示装置。
【発明の詳細な説明】
【技術分野】
【０００１】
本発明は、照射面を均一に照明するための照明光学系、およびこの照明光学系からの出力光をライトバルブにより所定の映像情報に応じて変調してスクリーンに投写する投写型画像表示装置に関し、詳しくは、複数の光源部を備えた照明光学系の構成に関するものである。
【背景技術】
【０００２】
従来、投写型画像表示装置に用いられる照明光学系において、スクリーンを明るく照明するために複数の光源部を備えたものとしては、下記特許文献１、２に記載されたものが知られている。
【０００３】
下記特許文献１に記載のものは、光源からの光束を楕円面鏡により集光しつつ出力する光源部を複数備えており、各光源部からの光束を、ミラー素子を介して２枚のフライアイ等からなるインテグレータ部に入射せしめるように構成されている。
【０００４】
一方、下記特許文献２に記載のものは、光源からの光束を凹面鏡により集光しつつ出力する光源部を複数備えており、各光源部からの光束を直接に、またはミラー面やプリズム外面等の光反射面を介して、ロッドインテグレータに入射せしめるように構成されている。
【０００５】
【特許文献１】特開２００２−３１８５０号公報
【特許文献２】特許第３７１５２９５号公報
【発明の開示】
【発明が解決しようとする課題】
【０００６】
近年、この種の照明光学系、特に、ロッドインテグレータを用いた照明光学系において、コンパクトな構成としつつ照明照度を高めようという要望がある。
【０００７】
このような要望に応えるために、各光源部において、集光角（本明細書では、集光せしめる光束の軸と該光束の最外光線とのなす角のことをいう）の大きい反射鏡を用いることが考えられる。このような反射鏡は、各光源部における光束の集光効率を高めることができるとともに、光源部をコンパクトに構成し得るという利点がある。
【０００８】
一方、照明照度を高めるには、ロッドインテグレータに入射された光束の光量損失を抑制しつつ、ロッドインテグレータからの出射光束をライトバルブに効率良く導くことも重要となる。ロッドインテグレータに入射された光束の光量損失を抑えるには、ロッドインテグレータに入射する光束の入射角度（軸上光線の入射角度）を小さくすることや、光束の集光点が入射面近傍に位置するように設定することが望ましいとされる。
【０００９】
また、ロッドインテグレータに入射する光束の集光角が大きくなると、ロッドインテグレータから出射される光束の広がり角が大きくなり、ライトバルブに効率良く光束を導くことが難しくなってしまうので、ロッドインテグレータから出射される光束の光量損失を抑制するという観点からは、ロッドインテグレータへの入射光束の集光角を小さくすることが望ましいことになる。
【００１０】
このように、コンパクトな構成としつつ照明照度を高めるには、各光源部における集光効率や、各光源部からロッドインテグレータへ入射される光束の入射角度や集光位置、および集光角等を適正に設定することが重要となるが、これらを、従来技術のように、各光源部の反射鏡の形状を変えることや、各光源部とロッドインテグレータおよびその間に配される反射部材との位置調整により達成することは、極めて難しい。
【００１１】
なお、上記特許文献２においては、側面がテーパ面で形成されたロッドインテグレータを用いることにより、ロッドインテグレータから出射される光束の広がり角を制御することが記載されているが、このような特殊なロッドインテグレータは製造コストが嵩むだけではなく、製造精度や取付精度の面でも不具合が生じる虞がある。
【００１２】
本発明はこのような事情に鑑みなされたもので、各光源部において集光角の大きい反射鏡を用いた場合でも、各光源部からロッドインテグレータへ入射される光束の入射角度や集光位置および集光角等を適正に設定することができ、これにより、コンパクトな構成としつつ照明照度を高め得る照明光学系および投写型画像表示装置を提供することを目的とする。
【課題を解決するための手段】
【００１３】
本発明に係る照明光学系は、光源からの光束を集光しつつ出力する複数の光源部と、該複数の光源部からの光束の光量均一化を図るロッドインテグレータとを有してなる照明光学系であって、
前記複数の光源部と前記ロッドインテグレータとの間に、該複数の光源部それぞれから入射された光束を変向し、かつ該光束の集光位置を該光束の進行方向前方へ移動せしめる集光状態変更手段が配されていることを特徴とする。
【００１４】
本発明の照明光学系において、前記集光状態変更手段は、前記光源部からの光束を透過させるプリズムからなり、該プリズムは、前記光源部からの光束が入射する入射面と、入射した該光束を該プリズム内において反射して該光束を変向する少なくとも１つの反射面と、該光束を出射する出射面とを備えてなるものとすることが好ましい。
【００１５】
また、前記光源部は、前記光源の発光中心近傍に一方の焦点が位置する楕円面鏡を有してなるものとすることができ、その場合、前記楕円面鏡からの光束の集光位置が、前記プリズムの光屈折、反射作用により、前記ロッドインテグレータの入射面近傍に位置するように構成されていることが好ましい。
【００１６】
一方、前記光源部は、前記光源の発光中心近傍に焦点が位置する放物面鏡と、該放物面鏡からの光を集光するコンデンサレンズとを有してなるものとすることもでき、その場合、前記コンデンサレンズからの光束の集光位置が、前記プリズムの光屈折、反射作用により、前記ロッドインテグレータの入射面近傍に位置するように構成されていることが好ましい。
【００１７】
また、本発明に係る照明光学系においては、前記光源部の光軸上を進行する光線が、前記集光状態変更手段を介して、前記ロッドインテグレータの光軸と略平行な状態で、該ロッドインテグレータに入射するように構成されていることが好ましい。
【００１８】
また、本発明に係る投写型画像表示装置は、上記照明光学系と、該照明光学系のロッドインテグレータからの光束を所定の映像情報に応じて変調するライトバルブと、該ライトバルブにより変調された光による光学像をスクリーン上に投写する投写レンズとを備えてなることを特徴とする。
【００１９】
なお、上記「光源の発光中心」とは、光源を構成する発光体において光強度が大きい部分を意味し、上記「変向」とは、光束の進行方向を変えることを意味する。
【発明の効果】
【００２０】
本発明に係る照明光学系および投写型画像表示装置によれば、複数の光源部とロッドインテグレータとの間に配された集光状態変更手段により、各光源部から入射された光束を所定の向きに変向しつつ、該光束の集光位置を該光束の進行方向前方へ所定の距離だけ移動させることができる。また、光束の集光位置を光束の進行方向前方へ移動させることにより、該光束の集光角を小さくすることも可能となる。
【００２１】
このため、各光源部において集光角の大きい反射鏡を用いた場合でも、各光源部からロッドインテグレータへ入射される光束の入射角度や集光位置および集光角等を適正に設定することができる。したがって、各光源からの光束の集光効率を高めつつ、光路中での光量損失を低減することができるので、照明照度を効率良く高めることが可能となるとともに、各光源部をコンパクトに構成し得るので、全体的にもコンパクト化が可能となる。
【発明を実施するための最良の形態】
【００２２】
以下、本発明の実施形態について図面を参照しつつ説明する。図１は本発明の第１の実施形態に係る照明光学系の構成を示す図であり、図５はこの第１の実施形態に係る照明光学系を備えた投写型画像表示装置の概略構成を示す図である。
【００２３】
図１に示す照明光学系１Ａは、同一平面上に配された２つの光源部２Ａ，２Ｂと、細長い直方体状のロッドインテグレータ４と、２つの光源部２Ａ，２Ｂおよびロッドインテグレータ４の間に配された集光状態変更手段３Ａとを有してなる。
【００２４】
上記２つの光源部２Ａ，２Ｂはそれぞれ、楕円面鏡２２と、該楕円面鏡２２の一方の焦点位置に発光中心が位置するように配された光源２１とからなり、該光源２１からの光束を集光しつつ、上記集光状態変更手段３Ａに向けて出力するように構成されている。
【００２５】
一方、上記集光状態変更手段３Ａは、上記各光源部２Ａ，２Ｂからの光束をそれぞれ透過させる２つのプリズム３０Ａ，３０Ｂからなり、該２つのプリズム３０Ａ，３０Ｂはそれぞれ、上記光源部２Ａ，２Ｂからの光束が入射する入射面３１と、入射した光束をプリズム内において反射して変向する反射面３２と、変向された光束を出射する出射面３３とを備えてなる。なお、本実施形態においては、２つのプリズム３０Ａ，３０Ｂの各出射面３３が、上記ロッドインテグレータ４の入射面４ａと略面一に接するように配置されている。
【００２６】
また、上記ロッドインテグレータ４は、上記集光状態変更手段３Ａを介して入射された上記光源部２Ａ，２Ｂからの光束を、内部において複数回反射せしめることによりその光量を均一化した後、出射面４ｂより出射するように構成されている。
【００２７】
上記光源部２Ａ，２Ｂの楕円面鏡２２は、光源２１からの光束を効率良く集光し得るように集光角が大きく設定されたものである。一方、上記集光状態変更手段３Ａは、光源部２Ａ，２Ｂから出射され、上記ロッドインテグレータ４へ入射される光束の入射角度や集光位置および集光角等を適正に設定するために設けられており、以下に示すように、光源部２Ａ，２Ｂからそれぞれ入射された光束を変向するとともに、該光束の集光位置をロッドインテグレータ４の方へ移動せしめることにより、該光束の集光角を小さくするように構成されている。
【００２８】
すなわち、上記光源部２Ａ，２Ｂから上記プリズム３０Ａ，３０Ｂにそれぞれ入射した光束は、入射面３１における屈折作用により、その集光角が入射前に比べて小とされた状態でプリズム３０Ａ，３０Ｂ内を進行し、さらに反射面３２により変向された後、集光角が小とされた状態を維持したまま出射面３３を経て上記ロッドインテグレータ４の入射面４ａに入射するようになっている。また、光源部２Ａ，２Ｂの各光軸Ｘ，Ｙ上を進行する光線が、ロッドインテグレータ４の光軸Ｚと略平行な状態（例えば、光軸Ｚに対する傾斜角が１０°以内の状態）で、該ロッドインテグレータ４の入射面４ａに入射するようになっており、さらに、光源部２Ａ，２Ｂからの光束の集光位置が、ロッドインテグレータ４の入射面４ａの近傍に位置するようになっている。
【００２９】
このような集光状態変更手段３Ａの作用により、ロッドインテグレータ４に入射された光束の光量損失を抑制しつつ、ロッドインテグレータ４からの出射光束を、後段に配されるライトバルブ等に効率良く導くことが可能となる。なお、上記プリズム３０Ａ，３０Ｂに用いる硝材としては、屈折率が１．５程度の一般的な硝材を用いることが可能であるが、屈折率が１．８以上の、より高屈折率の硝材を用いることも可能である。このことは、他の実施形態における他のプリズムについても同様である。
【００３０】
また、図５に示す投写型画像表示装置は、図１に示す照明光学系１Ａと、該照明光学系１Ａからの光束をリレーする、複数枚（本実施形態では５枚）のレンズからなるリレーレンズ５と、該リレーレンズ５からの光束に所定の画像情報を担持せしめるライトバルブ６（例えば、マイクロミラーデバイス等で構成される）と、該ライトバルブ６からの光束をスクリーンに投写する投写レンズ７とを備えている。
【００３１】
次に、図２は本発明の第２の実施形態に係る照明光学系の構成を示す図であり、図６はこの第２の実施形態に係る照明光学系を備えた投写型画像表示装置の概略構成を示す図である。なお、この第２の実施形態において、上述の第１の実施形態と同様の構成要素については、同一の符番等を用いることとし、その詳細な説明は省略する。このことは、他の実施形態についても同様とする。
【００３２】
図２に示す照明光学系１Ｂは、同一平面上に配された２つの光源部２Ｃ，２Ｄと、細長い直方体状のロッドインテグレータ４と、２つの光源部２Ｃ，２Ｄおよびロッドインテグレータ４の間に配された集光状態変更手段３Ｂとを有してなる。
【００３３】
上記２つの光源部２Ｃ，２Ｄはそれぞれ、放物面鏡２３と、該放物面鏡２３の焦点位置に発光中心が位置するように配された光源２１と、集光レンズ（コンデンサレンズ）２４とからなり、光源２１からの光束を放物面鏡２３により平行光束に変換した後、集光レンズ２４により集光しつつ、上記集光状態変更手段３Ｂに向けて出力するように構成されている。
【００３４】
一方、上記集光状態変更手段３Ｂは、上記各光源部２Ｃ，２Ｄからの光束をそれぞれ透過させる２つのプリズム３０Ｃ，３０Ｄからなる。該２つのプリズム３０Ｃ，３０Ｄは、上述の第１の実施形態における２つのプリズム３０Ａ，３０Ｂと同様に構成されており、その作用も同様とされている。
【００３５】
すなわち、上記光源部２Ｃ，２Ｄから上記プリズム３０Ｃ，３０Ｄにそれぞれ入射した光束は、入射面３１における屈折作用により、その集光角が入射前に比べて小とされた状態でプリズム３０Ｃ，３０Ｄ内を進行し、さらに反射面３２により変向された後、集光角が小とされた状態を維持したまま出射面３３を経て上記ロッドインテグレータ４の入射面４ａに入射するようになっている。また、光源部２Ｃ，２Ｄの各光軸Ｘ，Ｙ上を進行する光線が、ロッドインテグレータ４の光軸Ｚと略平行な状態（例えば、光軸Ｚに対する傾斜角が１０°以内の状態）で、該ロッドインテグレータ４の入射面４ａに入射するようになっており、さらに、光源部２Ｃ，２Ｄからの光束の集光位置が、ロッドインテグレータ４の入射面４ａの近傍に位置するようになっている。
【００３６】
また、図６に示す投写型画像表示装置は、図２に示す照明光学系１Ｂと、該照明光学系１Ｂからの光束をリレーする、複数枚（本実施形態では５枚）のレンズからなるリレーレンズ５と、該リレーレンズ５からの光束に所定の画像情報を担持せしめるライトバルブ６（例えば、マイクロミラーデバイス等で構成される）と、該ライトバルブ６からの光束をスクリーンに投写する投写レンズ７とを備えている。
【００３７】
次に、図３は本発明の第３の実施形態に係る照明光学系の構成を示す図であり、図４は本発明の第４の実施形態に係る照明光学系の構成を示す図である。
【００３８】
図３に示す照明光学系１Ｃは、同一平面上に配された２つの光源部２Ｅ，２Ｆと、細長い直方体状のロッドインテグレータ４と、２つの光源部２Ｅ，２Ｆおよびロッドインテグレータ４の間に配された集光状態変更手段３Ｃとを有してなる。
【００３９】
上記２つの光源部２Ｅ，２Ｆはそれぞれ、楕円面鏡２２と、該楕円面鏡２２の一方の焦点位置に発光中心が位置するように配された光源２１とからなり、該光源２１からの光束を集光しつつ、上記集光状態変更手段３Ｃに向けて出力するように構成されており、この点に関しては、上述の第１の実施形態における２つの光源部２Ａ，２Ｂと同じである。ただし、この第３の実施形態における２つの光源部２Ｅ，２Ｆは、図３に示すように、それぞれの光軸Ｘ，Ｙが互いに同一直線状に位置するように配置されている。
【００４０】
このように光源部２Ｅ，２Ｆの各光軸Ｘ，Ｙを同一直線状に位置せしめることにより、次のような利点がある。すなわち、一般に光源２１として用いられるランプの中には、本来設定された光軸に対して傾けると熱等の影響により出力効率が低下したり、耐久性が低下したりするものがある。一方、投写型画像表示装置は、スクリーンの高さの違い等に応じて投写方向を傾けて使用される場合があるので、このように投写方向が傾けられても光源ランプの光軸が傾かないようにすることが好ましい。本実施形態では、２つの光源部２Ｅ，２Ｆの各光軸Ｘ，Ｙが同一直線状に位置しているので、これらの光軸Ｘ，Ｙが投写方向の軸線に対して直角となるように光源部２Ｅ，２Ｆを配置することにより、投写方向が傾けられる場合でも両方の光源部２Ｅ，２Ｆにおいて、それぞれの光源２１の光軸Ｘ，Ｙが傾くことを防止することが可能となる。
【００４１】
一方、上記集光状態変更手段３Ｃは、上記各光源部２Ｅ，２Ｆからの光束をそれぞれ透過させる２つのプリズム３０Ｅ，３０Ｆからなり、該２つのプリズム３０Ｅ，３０Ｆはそれぞれ、上記光源部２Ｅ，２Ｆからの光束が入射する入射面３１と、入射した光束をプリズム内において反射して変向する反射面３２と、変向された光束を出射する出射面３３とを備えてなる。なお、本実施形態においては、２つのプリズム３０Ｅ，３０Ｆの各出射面３３が、上記ロッドインテグレータ４の入射面４ａに対して傾斜するように配置されている。
【００４２】
本実施形態においては、上記光源部２Ｅ，２Ｆから上記プリズム３０Ｅ，３０Ｆにそれぞれ入射した光束は、入射面３１における屈折作用により、その集光角が入射前に比べて小とされた状態でプリズム３０Ｅ，３０Ｆ内を進行し、さらに反射面３２により変向された後、出射面３３から出射され、上記ロッドインテグレータ４の入射面４ａに入射するようになっている。出射面３３から出射される際、光束の集光角が少し大きくなるが、光源部２Ｅ，２Ｆの各光軸Ｘ，Ｙ上を進行する光線が、ロッドインテグレータ４の光軸Ｚと略平行な状態（例えば、光軸Ｚに対する傾斜角が１０°以内の状態）で、該ロッドインテグレータ４の入射面４ａに入射するようになっている点、および光源部２Ｅ，２Ｆからの光束の集光位置が、ロッドインテグレータ４の入射面４ａの近傍に位置するようになっている点は、上述の第２の実施形態と同様であり、これによってロッドインテグレータ４に入射された光束の光量損失を抑制しつつ、ロッドインテグレータ４からの出射光束を、後段に配されるライトバルブ等に効率良く導くことが可能となるという効果を奏する。
【００４３】
図４に示す照明光学系１Ｄは、同一平面上に配された２つの光源部２Ｇ，２Ｈと、細長い直方体状のロッドインテグレータ４と、２つの光源部２Ｇ，２Ｈとロッドインテグレータ４との間に配された集光状態変更手段３Ｄとを有してなる。
【００４４】
上記２つの光源部２Ｇ，２Ｈはそれぞれ、放物面鏡２３と、該放物面鏡２３の焦点位置に発光中心が位置するように配された光源２１と、集光レンズ２４とからなり、光源２１からの光束を放物面鏡２３により平行光束に変換した後、集光レンズ２４により集光しつつ、上記集光状態変更手段３Ｄに向けて出力するように構成されており、この点に関しては、上述の第２の実施形態における２つの光源部２Ｃ，２Ｄと同じである。ただし、この第４の実施形態における２つの光源部２Ｇ，２Ｈは、図４に示すように、それぞれの光軸Ｘ，Ｙが互いに同一直線状に位置するように配置されている。
【００４５】
一方、上記集光状態変更手段３Ｄは、上記各光源部２Ｇ，２Ｈからの光束をそれぞれ透過させる２つのプリズム３０Ｇ，３０Ｈからなり、該２つのプリズム３０Ｇ，３０Ｈはそれぞれ、上記光源部２Ｇ，２Ｈからの光束が入射する入射面３１と、入射した光束をプリズム内において反射して変向する反射面３２と、変向された光束を出射する出射面３３とを備えてなる。また、２つのプリズム３０Ｇ，３０Ｈの各出射面３３は、上述の第３の実施形態のものと同様に、上記ロッドインテグレータ４の入射面４ａに対して傾斜するように配置されている。
【００４６】
本実施形態においては、上記光源部２Ｇ，２Ｈから上記プリズム３０Ｇ，３０Ｈにそれぞれ入射した光束は、入射面３１における屈折作用により、その集光角が入射前に比べて小とされた状態でプリズム３０Ｇ，３０Ｈ内を進行し、さらに反射面３２により変向された後、出射面３３から出射され、上記ロッドインテグレータ４の入射面４ａに入射するようになっている。出射面３３から出射される際、光束の集光角が少し大きくなるが、光源部２Ｇ，２Ｈの各光軸Ｘ，Ｙ上を進行する光線が、ロッドインテグレータ４の光軸Ｚと略平行な状態（例えば、光軸Ｚに対する傾斜角が１０°以内の状態）で、該ロッドインテグレータ４の入射面４ａに入射するようになっている点、および光源部２Ｇ，２Ｈからの光束の集光位置が、ロッドインテグレータ４の入射面４ａの近傍に位置するようになっている点は、上述の第３の実施形態と同様であり、これによってロッドインテグレータ４に入射された光束の光量損失を抑制しつつ、ロッドインテグレータ４からの出射光束を、後段に配されるライトバルブ等に効率良く導くことが可能となるという効果を奏する。
【００４７】
なお、本発明に係る照明光学系およびこれを備えた投写型画像表示装置としては、上述したものに限られるものではなく種々の態様の変更が可能であり、例えばレンズの構成や形状を適宜変更することが可能である。
【００４８】
また、本発明に係る照明光学系の光源部の数は２に限られるものではなく、２以上の任意の数を選択することが可能であり、例えば４つの光源部を備えることも可能である。
【００４９】
また、集光状態変更手段としてプリズムを用いる場合において、反射面は１つに限られるものではなく、プリズム内において複数の反射面で反射されつつ変向されるようにしてもよい。さらに、入射面と出射面とを同一面に設定することも可能である。
【００５０】
また、本発明に係る照明光学系に用いられる集光状態変更手段は、上述したプリズムにより構成されるものに限られるものではない。例えば、集光角を小さくする集光レンズと反射素子とを用いて集光状態変更手段を構成することも可能である。
【図面の簡単な説明】
【００５１】
【図１】本発明の第１の実施形態に係る照明光学系の概略図
【図２】本発明の第２の実施形態に係る照明光学系の概略図
【図３】本発明の第３の実施形態に係る照明光学系の概略図
【図４】本発明の第４の実施形態に係る照明光学系の概略図
【図５】図１に示す照明光学系を備えた投写型画像表示装置の概略図
【図６】図２に示す照明光学系を備えた投写型画像表示装置の概略図
【符号の説明】
【００５２】
１Ａ〜１Ｄ      照明光学系
２Ａ〜２Ｈ      光源部
３Ａ〜３Ｄ      集光状態変更手段
４              ロッドインテグレータ
４ａ            （ロッドインテグレータの）入射面
４ｂ            （ロッドインテグレータの）出射面
５              リレーレンズ
６              ライトバルブ
７              投写レンズ
２１            光源
２２            楕円面鏡
２３            放物面鏡
２４            集光レンズ
３０Ａ〜３０Ｈ  プリズム
３１            （プリズムの）入射面
３２            （プリズムの）反射面
３３            （プリズムの）出射面
Ｘ，Ｙ，Ｚ      光軸
【図１】
2008046479.tif 000003
【図２】
2008046479.tif 000004
【図３】
2008046479.tif 000005
【図４】
2008046479.tif 000006
【図５】
2008046479.tif 000007
【図６】
2008046479.tif 000008